(57)【要約】  センサポートは、センサとデータ源のどちらかに接続するようにしてある。読み取り装置は、センサとデータ源のどちらがセンサポートに接続されているかを確認するように構成される。データ経路は、センサに関連するアナログ信号およびデータ源に関連するデジタルデータを、読み取り装置によって行われた確認にしたがって信号処理装置に通信するように構成される。
2007500045.tif 000002
【特許請求の範囲】
【請求項１】
アナログセンサに接続するようにしたセンサポートを設置する段階と、
デジタルデータ源を前記センサポートへ接続する段階と、
前記データ源に関連する確認手段を読み取る段階であって、前記確認手段は、前記アナログセンサの代わりに前記データ源が前記センサポートに接続されていることを示す、段階と、
を備える、生体測定方法。
【請求項２】
さらに、前記デジタルデータを信号処理装置でコンパイルする段階を備える、請求項１の生体測定方法。
【請求項３】
さらに、前記信号処理装置からの前記デジタル信号をファームウェア記憶装置に書き込む段階であって、前記デジタル信号は、前記信号処理装置が実行可能な複数の指示を備える、段階と、
を備える、請求項２の生体測定方法。
【請求項４】
前記接続段階が、
前記指示をコンピュータへアップロードする段階と、
コンピュータインターフェースを前記センサポートへ取り付ける段階と、
前記コンピュータを前記コンピュータインターフェースへ取り付ける段階と、
を備える、
請求項３の生体測定方法。
【請求項５】
前記接続段階が、
前記指示を持久記憶装置に記憶する段階と、
前記持久記憶装置と前記センサポートとの間を通信可能にする段階と、
を備える、
請求項３の生体測定方法。
【請求項６】
さらに、前記デジタルデータを生理的信号として処理する段階を備える、請求  項２の生体測定方法。
【請求項７】
センサおよびデータ源に接続するようにしたセンサポートと、
前記センサと前記データ源のどちらが前記センサポートに接続されているかを確認するよう構成される読み取り装置と、
信号処理装置と、
前記センサに関連するアナログ信号および前記データ源に関連するデジタル信号を、前記読み取り装置にしたがって前記信号処理装置に通信するよう構成されるデータ経路と、
を備える、生体計測システム。
【請求項８】
さらに、前記信号処理装置に指示を与えるように構成されるファームウェア記憶装置であって、前記信号処理装置は前記データ源からの前記指示をダウンロードし前記指示を前記記憶装置に記憶するようプログラムされ、前記指示は前記信号処理装置により実行可能であり前記アナログ信号より生体測定情報を引き出す、ファームウェア記憶装置と、
を備える、請求項７の生体測定システム。
【請求項９】
前記データ源は、前記センサポートに対してインターフェースを有するコンピュータであり、前記指示は前記コンピュータにアップロードされる、
請求項８の生体測定システム。
【請求項１０】
前記データ源は、前記センサポートと通信するようにしてある持久記憶装置であり、前記指示は前記持久記憶装置に記憶される、
請求項８の生体測定システム。
【請求項１１】
さらに、前記信号処理装置による、前記アナログ信号に由来する第一の生体測定情報と、
前記信号処理装置による、前記デジタル信号に由来する第二の生体測定情報と、
を備える、請求項７の生体測定システム。
【請求項１２】
さらに、生体測定に関する記憶されたデータを、前記センサポートに接続されるデジタル装置に通信するよう構成される駆動経路を備える、
請求項７の生体測定システム。
【請求項１３】
前記記憶されたデータは、前記信号処理装置がアクセス可能な記憶装置に保持される、傾向データあるいは記録（ログ）データの少なくとも一つである、
請求項１２の生体測定システム。
【請求項１４】
さらに、返送データを、前記デジタルデータの通信と同時に通信するよう構成される駆動経路を備える、
請求項７の生体測定システム。
【請求項１５】
血流を有する肉質媒体を通って光放射を透過させるためのエミッタを駆動するようにした駆動経路を設ける段階と、
前記肉質媒体による減衰後、前記光放射に対する検出器の応答を通信するようにした信号経路を設ける段階であって、前記応答は前記血流の光学特性を示す、段階と、
デジタル出力データを、前記駆動経路の少なくとも一部を経て伝送する段階と、
を備える、生体測定方法。
【請求項１６】
さらに、傾向データと記録（ログ）データの少なくとも一つを有する記憶装置からのデジタル出力データを読み取る段階を備える、
請求項１５の生体測定方法。
【請求項１７】
さらに、前記信号経路の少なくとも一部を経て入力デジタルデータを受信する段階を備える、
請求項１５の生体測定方法。
【請求項１８】
さらに、前記入力デジタルデータの受信に対し、前記出力デジタルデータをもって返送する段階を備える、
請求項１７の生体測定方法。
【請求項１９】
さらに、前記入力デジタルデータを、信号処理の指示として使用するために記憶する段階を備える、
請求項１８の生体測定方法。
【発明の詳細な説明】
【背景技術】
【０００１】
脈拍酸素計（オキシメータ）は、健全な組織を冒すことなく、脈拍数に応じて動脈の酸素飽和度を測定する生体用機器である。このような測定を行うために、脈拍酸素計は動脈中の血液の脈拍成分のスペクトル分析を行い、血液中の主な酸素運搬成分である、酸素と結合したヘモグロビンの相対濃度を決定する。脈拍酸素計は、動脈への酸素供給の減少を早期に検知し、偶発性の死亡事故や損傷事故のリスクを低減する。その結果こうした機器は、外科病棟、集中治療室、一般病棟、在宅治療など、医療の様々な応用に広く、急速に受け入れられてきた。
【０００２】
図１は、センサ１１０とモニタ１２０を有する脈拍酸素計測システム１００を示す。モニタ１２０は多変数の患者モニタ、すなわち独立型または携帯用または手のひらサイズの脈拍酸素計である。さらに、図に示されるようにモニタ１２０は、ホスト演算処理装置１２２などのホスト機器と一体となった、ＯＥＭプリント回路板等の脈拍酸素計２００であってもよい。センサ１１０は患者に取り付けられ、脈拍酸素計２００から駆動電流を受け取り、かつ脈拍酸素計２００に生理的信号を供給する。外部のコンピュータ１３０を、ホスト演算処理装置１２２を経て脈拍酸素計２００と通信するのに使用してもよい。特に、以下に述べるようにコンピュータ１３０を、ホスト演算処理装置１２２を経て脈拍酸素計２００にファームウェアの最新版をダウンロードするのに使用することができる。
【０００３】
図２は脈拍酸素計システム１００のさらなる詳細を示す。センサ１１０はエミッタ１１２および検出器１１４を有する。エミッタ１１２は通常、赤色光発光ダイオードと赤外光発光ダイオードとから成り、これらの発光ダイオードは、指爪の下側面等組織の存在する箇所の下側の血管や毛細血管を通して光を投射する。検出器１１４は通常、発光ダイオードの反対側に位置するフォトダイオードであり、組織の存在する箇所より放出される光が現れるときに該光を検出する。脈拍酸素検出器は、「低ノイズ光探針（プローブ）」と題された特許文献１に記載されている。該特許文献１はマシモ・コーポレーション（Masimo Corporation）（米国カリフォルニア州、アーバイン）に譲渡されているものであり、参照することにより本明細書に含まれるものとする。
【０００４】
図２に示されるように、脈拍酸素計２００は前置増幅器２２０、信号調整器２３０、アナログ−デジタル変換器２４０、デジタル信号処理装置２５０、駆動制御装置２６０および発光ダイオード駆動装置２７０を有する。駆動装置２７０は、制御装置２６０による決定に従ってエミッタ１１２を交互に起動する。前置増幅器２２０、信号調整器２３０、アナログーデジタル変換器２４０はアナログのフロントエンドを提供し、該フロントエンドは検出器１１４によって発生した電流を増幅し、フィルタをかけ、デジタル化する。該電流は、組織に吸収された後に検出される、エミッタ１１２に対する反応である光の強度に比例する。デジタル−アナログ変換器２５０は、デジタル化され調整された検出信号２４２を入力し、エミッタ１１２により投射される２つの異なる波長が動脈中の血液に吸収される度合いの差分に基づいて酸素飽和度を決定する。特に、検出される赤色光と赤外光の強度の比率がデジタル信号処理装置２５０によって計算され、得られた比率に基づいて動脈中の酸素飽和度の値が経験的に決定される。酸素飽和度の値と算出された脈拍数の値はホスト演算処理装置１２２に伝達され、モニタ１２０によって表示される（図１）。脈拍酸素計は「信号処理装置」と題された特許文献２に記載されている。該特許文献２はマシモ・コーポレーション（Masimo Corporation）（米国カリフォルニア州、アーバイン）に譲渡されているものであり、参照することにより本明細書に含まれるものとする。
【０００５】
さらに、図２に示されるように、脈拍酸素計２００はセンサポート２１０と通信ポート２８０を有する。センサポート２１０はコネクタと、関連する入力信号および出力信号とを含み、センサ１１０にアナログ接続できるようになっている。特に、上記のように、センサポート２１０は発光ダイオード駆動装置２７０からの駆動信号２１２を発光ダイオードエミッタ１１２に送信し、該発光ダイオードエミッタ１１２に対する反応である生理的信号２１４を、フォトダイオード検出器１１４より受け取る。通信ポート２８０もまたコネクタと、関連する入力信号および出力信号とを含み、脈拍酸素計２００とホスト演算処理装置１２２との間に双方向通信経路２８２を設ける。上記のように、通信経路２８２によって、デジタル信号処理装置２５０がモニタ１２０（図１）に酸素飽和度の値と脈拍数の値を伝達することができる。以下に述べるように、通信経路２８２によってデジタル信号処理装置のファームウェアが更新されることも可能になる。
【０００６】
またさらに、図２に示されるように、脈拍酸素計２００はマイクロ制御装置２９０およびフラッシュメモリ２５５を有する。フラッシュメモリ２５５は、予め記憶されたプログラムすなわちファームウェアを保持しており、該ファームウェアは酸素飽和度と脈拍数の計算をデジタル信号処理装置２５０で実行する。マイクロ制御装置２９０は、デジタル信号処理装置２５０とホスト演算処理装置１２２との間のデータの移送を制御する。特に、デジタル信号処理装置のファームウェアを更新するために、該ファームウェアはコンピュータ１３０（図１）にアップロードされる（該コンピュータはファームウェアをホスト演算処理装置１２２にダウンロードする）。同様に、ホスト演算処理装置１２２はファームウェアをマイクロ制御装置２９０にダウンロードし、該マイクロ制御装置２９０はファームウェアをデジタル信号処理装置２５０にダウンロードする。最後に、デジタル信号処理装置２５０はファームウェアをフラッシュメモリ２５５に書き込む。
【特許文献１】米国特許第６，０８８，６０７号
【特許文献２】米国特許第６，２３６，８７２号
【発明の開示】
【課題を解決するための手段】
【０００７】
脈拍酸素計におけるファームウェアを、特に、ホスト機器に統合されるOEMプリント回路板上のファームウェアを更新するには、それぞれ異なる会社によって開発された多様なプロトコルと多様な演算処理装置を用いる回路経路が必要である。プロトコルや演算処理装置のインターフェースには標準規格でないものがあり、異なる機器のためにはそれぞれに応じたプログラミングが必要となる。各種医療用設備において機器がインストールされたものを基本とする場合、これは特に問題である。さらに、手のひらサイズの製品等いくつかの脈拍酸素計の製品はコンピュータに接続するための通信ポートをもたないことがあり、ファームウェアをアップグレードするためには通常機器を工場に返却することが必要である。
【０００８】
各々の脈拍酸素計はセンサポートを有しており、該センサポートによって、一つ以上の信号経路を経てデジタル信号処理装置にアクセスすることができる。したがって、脈拍酸素測定ファームウェアをデジタル信号処理装置にダウンロードするためにはセンサポートを利用するのが望ましい。また、ハードウェアを修正することなく現に存在する機器の中でセンサポートを利用できるようにするのが望ましい。このようなやり方でセンサポートを利用することにより、機器の製造者が、ホスト演算処理装置とOEMプリント回路板との間でダウンロード用の通信ができるようにしなければならないという手間が軽減され、手のひらサイズのものを含むすべての機器の、現場でのアップグレードが容易になる。
【０００９】
多目的センサポートの一つの態様は、アナログセンサに接続するようにしたセンサポートと、センサポートに接続するようにしたデジタルデータ源とを備える、生体測定方法である。データ源に関連する確認手段が読み取られ、該確認手段は該データ源がアナログセンサの代わりにセンサポートに接続されていることを示す。デジタルデータはその後センサポートを経て受信される。一つの実施例では、デジタルデータは信号処理装置にコンパイルされる。デジタルデータが、信号処理装置により実行可能な指示である場合は、信号処理装置からのデータをファームウェアに書き込んでもよい。センサポートに取り付けられるコンピュータインターフェースに取り付けられるコンピュータに、指示をアップロードしてもよい。代わりに、センサポートと通信可能になっている持久記憶装置に、指示を記憶させてもよい。他の実施例では、デジタルデータは生理的信号として処理される。
【００１０】
多目的センサポートの他の態様は、センサおよびデータ源に接続するようにしたセンサポートを有する生体測定しすてむである。読み取り装置は、センサとデータ源のどちらがセンサポートに接続されているかを確認するように構成される。データ経路は、センサに関連するアナログ信号およびデータ源に関連するデジタルデータを、読み取り装置にしたがって信号処理装置に通信するよう構成される。一つの実施例では、ファームウェアの記憶装置は信号処理装置に対して指示を与えるよう構成される。信号処理装置は指示をデータ源からダウンロードし該指示を記憶装置に記憶するようプログラムされる。指示は信号処理装置により実行可能であり、アナログ信号から生体測定情報を引き出す。データ源はセンサポートに対してインターフェースを持つコンピュータであってもよく、該コンピュータに指示がアップロードされる。代わりのものとしては、データ源はセンサポートと通信可能になっている持久記憶装置であり、該持久記憶装置に指示が記憶される。
【００１１】
他の実施例では、第一の生体測定情報は信号処理装置によってアナログ信号からえられ、第二の生体測定情報は信号処理装置によるものであってデジタルデータに由来する。また他の実施例では、駆動経路が、生体測定に関する記憶されたデータを、センサポートに接続されるデジタル装置に通信するよう構成される。記憶されたデータは、記憶装置に保持される傾向データまたは／あるいは記録（ログ）データであり信号処理装置がアクセス可能な信号処理装置によってアクセス可能である。さらに他の実施例では、駆動経路が、返送データをデジタルデータの通信と連動して通信するよう構成される。
【００１２】
多目的センサポートのさらに他の態様は、血流を有する肉質媒体を通って光放射を透過させるためのエミッタを駆動するようにした駆動経路が設けられた、生体測定方法である。肉質媒体による減衰後、光放射に対しする検出器の応答を通信するようにした信号経路が設けられ、該応答は血流の光学特性を示す。デジタル出力データは、前記駆動経路の少なくとも一部を経て伝送される。一つの実施例では、傾向データと記録（ログ）データの少なくとも一つを有する記憶装置からデジタル出力データが読み取られる。他の実施例では、入力デジタルデータが信号経路の少なくとも一部を経て受信され、該入力デジタルデータの受信に対し、出力デジタルデータをもって返送される。特定の実施例では、入力デジタルデータが、信号処理の指示として使用されるために記憶される。
【発明を実施するための最良の形態】
【００１３】
概要
図３AおよびBは、アナログセンサ３１０およびデジタルデータ源３２０にそれぞれ接続される多目的センサポート３０１を有する脈拍酸素計３００を、それぞれ示す。図３Aに示されるように、脈拍酸素計３００が、アナログセンサ３１０が多目的センサポート３０１に取り付けられていると判断する場合には、上記のように、多目的センサポート３０１はアナログモードで作動し、通常のセンサポートとして機能する。図３Bに示されるように、脈拍酸素計３００が、デジタルデータ源３２０が多目的センサポート３０１に取り付けられていると判断する場合には、多目的センサポート３０１はデジタルモードで作動し、デジタル通信装置として機能する。データ源３２０をセンサポートインターフェース３３０に接続してもよく、該センサポートインターフェース３３０も同様にセンサポート３０１に接続してよい。センサポートインターフェース３３０は、例えばRS−２３２等の標準的な通信インターフェースをデータ源３２０に提供するために用いてもよい。一つの実施例では、脈拍酸素計３００の電力が増幅される際に、該脈拍酸素計３００は、センサポート３０１に接続されている装置に関する情報要素あるいは他の確認手段を読み取る。確認手段は、装置がアナログセンサ３１０かまたはデータ源３２０のどちらか一方であることを確認する。センサの情報要素は、「手動および自動による、探針（プローブ）の目盛り定め」と題された、米国特許第６，３９７，０９１に記載されている。該米国特許第６，３９７，０９１はマシモ・コーポレーション（Masimo Corporation）（米国カリフォルニア州、アーバイン）に譲渡されているものであり、参照することにより本明細書に含まれるものとする。
【００１４】
図３Cは、装置の確認手段が抵抗値であるような、センサポートの実施例を示す。抵抗器３０３は、センサ３１０（図３A）および、データ源３２０（図３B）またはインターフェース３３０（図３B）を含む装置３０２に配置される。センサポート３０１は、抵抗値を測定する読み取り装置３０４を有する。読み取り装置３０４は電圧源３０５と、電流−電圧変換器等の電流測定装置３０７を含む。電圧源３０５は予め知られた大きさの電圧を有しており、装置３０２がセンサポート３０１に接続される際には、該電圧が抵抗器３０３に加えられる。電流測定装置３０７は、電圧が加えられた結果抵抗器３０３に流れる電流の大きさを検出し、抵抗値、すなわち装置の確認手段を測定する。
【００１５】
図３Dは、アナログセンサ３１０、デジタルデータ源３２０、および多目的センサポート３０１に接続されるスイッチ３６０を有する脈拍酸素計３００を示す。アナログとデジタルとの混在を確認手段が確認したことを脈拍酸素計３００が読み取る場合、多目的センサポート３０１は、スイッチ３６０による決定にしたがってアナログ信号またはデジタル信号のどちらか一方を送信するよう機能する。スイッチ３６０の状態はデータ源３２０および脈拍酸素計３００、もしくはその両方により決定できる。一つの実施例では、脈拍酸素計３００は確認可能な波形を、発光ダイオード駆動経路５１０（図５）を経て送信し、該波形はスイッチ３６０に状態変化の指令として認識される。このようにして、脈拍酸素計３００は場合に応じて、データ源３２０からデジタルデータを受信するか、あるいはデータ源３２０にデジタルデータを送信する。
【００１６】
応用例
図４は、多目的センサポート３０１と接続する様々なデジタルデータ源３２０およびセンサポートインターフェース３３０を示す。一つの応用例では、予めプログラムされたモジュール４０５がセンサポート３０１に直接接続している。モジュール４０５は、例えば脈拍酸素計３００用のアップグレードされたファームウェアが予めプログラムされた、持久記憶装置を有する。モジュール４０５は、記憶装置のデータを読み出したりデータをセンサポート３０１に通信するための、関連する電子装置（エレクトロニクス）も有する。特にモジュール４０５は、センサポート３０１との機械的コンプライアンス、信号レベルのコンプライアンス、および通信プロトコルのコンプライアンスを提供する。
【００１７】
図４に示されるように、他の応用例では、コンピュータ４１０はコンピュータインターフェース４５０を介してセンサポート３０１に接続している。例えば、以下で図５を参照して述べられるように、コンピュータ４１０はファームウェアを脈拍酸素計３００にダウンロードするために使用することができる。他の例としては、以下で図６を参照して述べられるように、コンピュータインターフェース４５０は情報を脈拍酸素計３００からアップロードするために使用することができる。一つの実施例では、以下で図９を参照して述べられるようにコンピュータインターフェース４５０は、コンピュータ側ではRS−２３２との機械的コンプライアンスおよび信号レベルのコンプライアンスを提供し、脈拍酸素計側ではセンサポート３０１との機械的コンプライアンスおよび信号レベルのコンプライアンスを提供する。
【００１８】
また図４に示されるように、従来の脈拍酸素計測センサとは別の生体用センサ４２０が多目的センサポート３０１に取り付けられる。生体用センサインターフェース４６０は生体用センサ４２０を駆動し、センサポート３０１に対して生のデジタルデータを発生させる。このようにして、酸素飽和度や脈拍数に加え、複数の生体測定方法を提供するのに便利なように脈拍酸素計３００を拡張することができる。
【００１９】
さらに図４に示されるように、ワイヤレスデータ装置４３０が、ワイヤレスインターフェース４７０を介して多目的センサポート３０１に取り付けられる。このようにして、ワイヤレスデータの入出力およびワイヤレスネットワークに便利なように脈拍酸素計３００を拡張することができる。一つの実施例では、ワイヤレスインターフェース４７０は、一つの側ではIEEE-802.11等のワイヤレス規格との械面的コンプライアンスおよび信号レベルのコンプライアンスを提供し、脈拍酸素計側ではセンサポート３０１との機械的コンプライアンスおよび信号レベルのコンプライアンスを提供する。
【００２０】
またさらに図４に示されるように、ネットワーク接続されたデジタル入出力装置４４０が、ネットワークインターフェース４８０を介して多目的センサポート３０１に取り付けられる。一つの実施例では、ネットワークインターフェース４８０は、一つの側ではイーサネット（登録商標）等のネットワーク規格との機械的コンプライアンスおよび信号レベルのコンプライアンスを提供し、脈拍酸素計側ではセンサポート３０１との機械的コンプライアンスおよび信号レベルのコンプライアンスを提供する。
【００２１】
ファームウェアアップグレードポート
図５は、脈拍酸素計用ファームウェア５０１をダウンロードするように構成される多目的センサポート３０１を示す。ファームウェア５０１はコンピュータ４１０にアップロードされ、標準通信バス５０３を経て標的である脈拍酸素計３００にダウンロードされる。標準バス５０３は、ほんの２，３を挙げるなら、例えばRS-232、IEEE-488、SCSI、IEEE-1394（ファイアワイヤ）、USBである。コンピュータインターフェース４５０はセンサポート３０１の信号レベルを標準バス５０３の信号レベルに変換する。逆もまた然りである。特に、標準バス５０３の出力信号はセンサポートへの入力信号５２２に変換され、センサポートからの出力信号５１２は標準バス５０３の入力信号に変換される。
【００２２】
図５に示されるように、脈拍酸素計３００は、図２を参照して上で述べられたような検出信号経路５２０、デジタル信号処理装置５３０、フラッシュメモリ５４０あるいは他の持久記憶装置、および発光ダイオード駆動経路５１０を有する。コンピュータ４１０より伝送されるデータはセンサポートで入力され（５２２）、検出信号経路５２０を経てデジタル信号処理装置５３０へと運ばれ、該デジタル信号処理装置５３０はフラッシュメモリ５４０にデータを読み込む。返送データはデジタル信号処理装置５３０より伝送され、発光ダイオード駆動経路５１０を経てセンサポートへと運ばれ、そこから出力される（５１２）。
【００２３】
図６はデジタル信号処理装置のフラッシュメモリ５４０（図５）の記憶域地図（メモリマップ）６００である。記憶域地図６００は、アプリケーションデータ６４０の他にブートファームウェア６１０、信号処理ファームウェア６２０、センサポート通信ファームウェア６３０等、デジタル信号処理装置が実行可能な指令の区分を示している。ブートファームウェア６１０はデジタル信号処理装置の電力増幅を実行する。上で図３AからDを参照して述べたように、ブートファームウェア６１０はデジタル信号処理装置を初期化し、装置の確認手段に応じて信号処理ファームウェア６２０か通信ファームウェア６３０のどちらかをデジタル信号処理装置のプログラム記憶装置に読み込む。上で図１および２を参照して触れたように、信号処理ファームウェア６２０は酸素飽和度および脈拍数を測定するアルゴリズムを含む。通信ファームウェア６３０は、以下で図８を参照して述べるように、通信プロトコルのアルゴリズムを含む。ファームウェアのダウンロードまたは／あるいはアプリケーションデータ６４０のアップロードのタスクが完了した後、通信ファームウェア６３０が信号処理ファームウェア６２０を読み込むことにより、デジタル信号処理装置は脈拍酸素測定を実行することができる。
【００２４】
また図６に示されるように、アプリケーションデータ６４０は傾向データ６３２、作動記録（ログ）６３４、および製造者記録（ログ）６３８を含み、該アプリケーションデータ６４０はコンピュータ４１０（図５）、あるいはセンサポート３０１（図５）に接続される他のデジタル装置に、便利なようにアップロードすることができる。傾向データ６３２は酸素飽和度および脈拍数の計測履歴を含む。作動記録６３４は、例えば、不具合のコードや事象の情報を含む。不具合のコードとは、例えば脈拍酸素計測盤の不具合やホストの不具合のことである。事象の情報は、探針（プローブ）中止の発生や低飽和の事象等の警告データを含む。製造者記録は、例えば、サービス情報を含む。
【００２５】
図７は、発光ダイオード駆動経路５１０、検出信号経路５２０、およびデジタル信号処理装置５３０を含む多目的センサポートの実施例３０１を示す。該実施例３０１は一般に、上で図５を参照して述べたように機能する。発光ダイオード駆動経路５１０はシフトレジスタ７１０、赤色光発光ダイオード駆動装置７２０、および赤外光発光ダイオード駆動装置７３０を含む。シフトレジスタにはデータが入力され（７１２）、赤色光および赤外光を制御するための出力を行う（７１４，７１８）。デジタル信号処理装置５３０はシフトレジスタへの入力７１２にシリアル制御データを与える。該シリアル制御データはシフトレジスタからの出力７１４および７１８のために保持され、所定の一連の赤色光点灯および赤外光点滅データにしたがって発光ダイオード駆動装置７２０および７３０をオン／オフする。検出信号経路５２０は前置増幅器７４０、信号調整器７５０、および検出信号５２２を増幅し、フィルタをかけ、デジタル化するアナログ−デジタル変換器７６０を有する。検出信号経路５２０は比較測定器（コンパレータ）７７０も有し、該比較測定器７７０は前置増幅器からの出力７４２を固定電圧レベルと比較し、それにしたがって割り込みのための出力７７４をデジタル信号処理装置５３０に対し行う。「電力供給レール制御装置」と題され、２００３年１月２４日に出願された米国特許出願第１０/３５１，９６１に記載されているように、比較測定器７７０によって、デジタル信号処理装置は前置増幅器からの信号出力７４２のレベルの関数として前置増幅器の電圧を制御することができる。該米国特許出願第１０/３５１，９６１はマシモ・コーポレーション（Masimo Corporation）（米国カリフォルニア州、アーバイン）に譲渡されているものであり、参照することにより本明細書に含まれるものとする。図８について後述するように、コンパレータ信号経路はまたＤＳＰが一連のデジタルデータを受信できるようにするので有益である。
【００２６】
図８は、通信ファームウェア６３０（図６）の一つの態様の、シリアルデータ受信機８００の実施例を示す。データ受信機８００は、上記の検出信号経路５２０（図７）を用いるものである。デジタル信号処理装置の内部のタイマは初期化され、入力されるデータの割合（単位：ボー）で割り込みを発生させる。タイマによる割り込みによって、データ受信機８００は単一ビットの判断と記憶を定期的に開始する。データ受信機８００は、デジタル信号処理装置の割り込み入力７７４の状況をポーリングし、該割り込み入力７７４は初期化されてレベル感知可能となり、割り込みが禁止される。このように、比較測定器７７０（図７）が起動されるときはいつでも、該比較測定器７７０はデジタル信号処理装置の割り込み一時停止レジスタ中に保持するが、割り込み事象を発生することはない。タイマサービスルーチン８００は、割り込み一時停止レジスタ８２０をポーリングする。８３０で示すように、一時停止レジスタの値が決定される。値が“１”であればゼロビットが受信され（８４０）、そうでなければ１ビットが受信される（８５０）。受信されたビットは８６０で記憶され８６０、８７０でタイマをリセットする８７０。
【００２７】
図９は、RS-232コネクタ９１０、センサコネクタ９２０、電圧調整器９３０、および送受信器９４０を有するRS-232コンピュータインターフェースの実施例４５０を示す。電圧調整器９３０はRS-232コネクタ９１０のRTC（送信要求）かDTR（データ端末準備完了）のどちらかの信号線より電力を取り出し、調整されたVCC電力を送受信器９４０に供給する。送受信器９４０はセンサ９２０の赤色光駆動信号線か赤外光駆動信号線のどちらかを制御し、RS-232コネクタ９１０のRXD（データ受信）信号を発生する。送受信器９４０はさらにRS-232コネクタ９１０のTXD（データ伝送）信号線を制御し、センサ９２０の検出信号を発生する。
【００２８】
これまで様々な実施例に結びつけて、多目的センサポートを詳細に開示してきた。これらの実施例は例としてのみ開示されるものであり、後に続く特許請求の範囲の広さを制限するものではない。当該技術において通常の技量を有する者には、多くの様々な変形例や改良例が存在することが理解されよう。
【図面の簡単な説明】
【００２９】
【図１】ＯＥＭプリント回路板を用いた、従来技術の脈拍酸素計測システムの一般的なブロック図である。
【図２】従来技術の脈拍酸素計測システムの、詳細なブロック図である。
【図３】AからDはいずれも、アナログセンサおよびデジタルデータ源、あるいはその両方に接続される、多目的センサポートの一般的なブロック図である。
【図４】様々なデジタルデータ源への入力を有する、多目的センサポートの一般的なブロック図である。
【図５】脈拍酸素計のファームウェアをダウンロードするよう構成される、多目的センサポートのブロック図である。
【図６】デジタル信号処理装置のファームウェアの記憶域地図（メモリマップ）である。
【図７】多目的センサポートの実施例と、関連する信号経路およびデータ経路の詳細なブロック図である。
【図８】デジタルデータ受信装置のルーチンのフローチャートである。
【図９】多目的センサポート用のRS232インターフェースの概略図である。
【符号の説明】
【００３０】
３００  脈拍酸素計
３０１  多目的センサポート
３２０  デジタルデータ源
３３０  センサポートインターフェース
【図１】
2007500045.tif 000003
【図２】
2007500045.tif 000004
【図３】
2007500045.tif 000005
【図４】
2007500045.tif 000006
【図５】
2007500045.tif 000007
【図６】
2007500045.tif 000008
【図７】
2007500045.tif 000009
【図８】
2007500045.tif 000010
【図９】
2007500045.tif 000011
【国際調査報告】
2007500045.tif 000012
2007500045.tif 000013